(57)【要約】【課題】複数の種類のカートリッジメモリにデータ信号を書き込むことができるカートリッジメモリ読取・書込装置を提供することを目的とする。【解決手段】磁気テープを磁気テープカートリッジのテープリールに巻き取るテープワインダで用いられるカートリッジメモリ読取・書込装置３０であって、複数種類のカートリッジメモリＣＭのそれぞれの種類に対応してデータ信号の読み取り及び書き込みをする複数種類の読取・書込部３１ａ，３１ｂ，３１ｃと、前記複数種類の読取・書込部３１の中から、前記磁気テープカートリッジに組み込まれるカートリッジメモリＣＭの種類に対応する読取・書込部３１ａ，３１ｂ，３１ｃを選択する制御部３２とを備えるように構成する。【選択図】  図２
2004152354.tif 000002
【特許請求の範囲】
【請求項１】
複数種類のカートリッジメモリが流れる生産ラインで用いられるカートリッジメモリ読取・書込装置であって、
複数種類のカートリッジメモリのそれぞれの種類に対応してデータ信号の読み取り及び書き込みをする複数種類の読取・書込部と、
前記複数種類の読取・書込部の中から、前記生産ラインを流れる前記カートリッジメモリの種類に対応する読取・書込部を選択する制御部とを備えて構成されることを特徴とするカートリッジメモリ読取・書込装置。
【請求項２】
前記制御部は、カートリッジメモリにデータ信号を書き込む際に、前記複数種類の読取・書込部で前記カートリッジメモリのデフォルトデータの読み取りを試み、前記デフォルトデータを読み取ることができた読取・書込部を選択することを特徴とする請求項１に記載のカートリッジメモリ読取・書込装置。
【請求項３】
磁気テープを磁気テープカートリッジのテープリールに巻き取るテープワインダで用いられるカートリッジメモリ読取・書込装置であって、複数種類のカートリッジメモリのそれぞれの種類に対応してデータ信号の読み取り及び書き込みをする複数種類の読取・書込部と、
前記複数種類の読取・書込部の中から、前記磁気テープカートリッジに組み込まれるカートリッジメモリの種類に対応する読取・書込部を選択する制御部とを備えて構成されることを特徴とするカートリッジメモリ読取・書込装置。
【請求項４】
前記制御部は、カートリッジメモリにデータ信号を書き込む際に、前記複数種類の読取・書込部で前記カートリッジメモリのデフォルトデータの読み取りを試み、前記デフォルトデータを読み取ることができた読取・書込部を選択することを特徴とする請求項３に記載のカートリッジメモリ読取・書込装置。
【請求項５】
前記制御部は、外部から入力された命令に基づいて、前記読取・書込部を選択することを特徴とする請求項１又は請求項３に記載のカートリッジメモリ読取・書込装置。
【発明の詳細な説明】
【０００１】
【発明の属する技術分野】
本発明は、磁気テープカートリッジに組み込まれるカートリッジメモリのデータ信号の読み取り及び書き込みをするカートリッジメモリ読取・書込装置に関し、詳しくは、複数種類のカートリッジメモリにデータ信号を書き込むことができるカートリッジメモリ読取・書込装置に関する。
【０００２】
【従来の技術】
一般に、コンピュータのバックアップ用の記録媒体として使用される磁気テープカートリッジには非接触式の記録媒体であるカートリッジメモリが組み込まれており、このカートリッジメモリには、製造者情報や管理情報等のデータ信号が書き込めるようになっている。なお、管理情報としては、例えば、データの位置情報、メディアの使用履歴、エラーログ等がある。
このカートリッジメモリにデータ信号を書き込む時機は、磁気テープカートリッジの製造工程の違いによって異なる。例えば、磁気テープを磁気テープカートリッジのテープリールに巻き取る工程については以下の形態があり、それぞれの形態に応じて、それぞれカートリッジメモリに製造者情報や管理情報等を書き込む時機が異なる。
【０００３】
第１に、いわゆるパンケーキから供給される磁気テープを、磁気テープカートリッジに組み込まれる前のテープリールに巻き取る形態がある。この形態では、磁気テープカートリッジを組み立てる最終工程で、カートリッジケースに既に磁気テープが巻回されたテープリールを組み付けるとともにカートリッジメモリを組み付ける。そのため、カートリッジメモリへのデータ信号の書き込みは、磁気テープカートリッジを組み立てる最終工程の後となり、データ信号の書き込みは、一台のカートリッジメモリ読取・書込装置によって行われる（例えば、特許文献１参照）。
第２に、既に磁気テープカートリッジに組み込まれているテープリールに磁気テープを巻き取る形態がある。この形態では、生産ラインに複数のテープワインダを配置しておき、各テープワインダによって、各磁気テープカートリッジのテープリールに磁気テープを巻き取っている。そのため、カートリッジメモリへのデータ信号の書き込みは、各テープワインダによってテープリールに磁気テープを巻き取る際に、各ワインダに設置されたカートリッジメモリ読取・書込装置によって行われる。
【０００４】
【特許文献１】
特開２００１−２３７６３９号公報
【０００５】
ところで、近年、カートリッジメモリは、その性能の向上に伴って様々な種類のものが製造されており、カートリッジメモリにデータ信号を書き込む際は、それぞれの種類に対応した専用のカートリッジメモリ読取・書込装置を用いなければ、書き込むことも読み取ることもできない。そのため、前記したいずれの形態においても、異なる種類のカートリッジメモリにデータ信号の書き込みを行う場合は、その都度、それぞれの種類に対応するカートリッジメモリ読取・書込装置に交換する必要があった。
【０００６】
【発明が解決しようとする課題】
しかしながら、複数種類のカートリッジメモリにデータ信号を書き込むために、その都度、カートリッジメモリ読取・書込装置を交換するとなると、その間は生産ラインを停止しなければならないため、生産性が低下するという問題があった。特に、各テープワインダにカートリッジメモリ読取・書込装置を設置している場合は、各テープワインダのカートリッジメモリ読取・書込装置を全て交換しなければならないので、生産性は著しく低下する。
【０００７】
そこで、本発明は、複数種類のカートリッジメモリにデータ信号を書き込むことができるカートリッジメモリ読取・書込装置を提供することを目的とする。
【０００８】
【課題を解決するための手段】
請求項１に記載のカートリッジメモリ読取・書込装置は、複数種類のカートリッジメモリが流れる生産ラインで用いられるカートリッジメモリ読取・書込装置であって、複数種類のカートリッジメモリのそれぞれの種類に対応してデータ信号の読み取り及び書き込みをする複数種類の読取・書込部と、前記複数種類の読取・書込部の中から、前記生産ラインを流れる前記カートリッジメモリの種類に対応する読取・書込部を選択する制御部とを備えて構成されることを特徴とする。
【０００９】
請求項１に記載のカートリッジメモリ読取・書込装置によれば、カートリッジメモリにデータ信号を書き込む際に、複数種類の読取・書込部の中から、生産ライン上を流れるカートリッジメモリの種類に対応する読取・書込部を選択することによって、一台のカートリッジメモリ読取・書込装置で複数種類のカートリッジメモリに対応することができる。したがって、一々カートリッジメモリの種類に対応したカートリッジメモリ読取・書込装置に交換する必要がなくなるため、生産性を向上させることができる。
【００１０】
請求項２に記載のカートリッジメモリ読取・書込装置は、請求項１に記載のカートリッジメモリ読取・書込装置において、前記制御部は、カートリッジメモリにデータ信号を書き込む際に、前記複数種類の読取・書込部で前記カートリッジメモリのデフォルトデータの読み取りを試み、前記デフォルトデータを読み取ることができた読取・書込部を選択することを特徴とする。
【００１１】
請求項２に記載のカートリッジメモリ読取・書込装置によれば、カートリッジメモリにデータ情報を書き込む際は、まず、各データ信号読取・書込部で、カートリッジメモリに書き込まれているデフォルトデータ（初期データ）であるシリアルナンバーや製造者情報の読み取りを試みる。そして、カートリッジメモリに書き込まれているデフォルトデータを読み取ることができたデータ信号読取・書込部を選択し、そのデータ信号読取・書込部でカートリッジメモリに製造情報等を書き込むようにする。このようにすると、複数種類の読取・書込部の中から、生産ライン上を流れるカートリッジメモリの種類に対応する読取・書込部を容易に選択することができる。
【００１２】
請求項３に記載のカートリッジメモリ読取・書込装置は、磁気テープを磁気テープカートリッジのテープリールに巻き取るテープワインダで用いられるカートリッジメモリ読取・書込装置であって、複数種類のカートリッジメモリのそれぞれの種類に対応してデータ信号の読み取り及び書き込みをする複数種類の読取・書込部と、前記複数種類の読取・書込部の中から、前記磁気テープカートリッジに組み込まれるカートリッジメモリの種類に対応する読取・書込部を選択する制御部とを備えて構成されることを特徴とする。
【００１３】
請求項３に記載の発明によれば、カートリッジメモリにデータ信号を書き込む際に、複数種類の読取・書込部の中から、磁気テープカートリッジに組み込まれるカートリッジメモリの種類に対応する読取・書込部を選択することによって、一台のカートリッジメモリ読取・書込装置で複数種類のカートリッジメモリに対応することができる。したがって、一々カートリッジメモリの種類に対応したカートリッジメモリ読取・書込装置に交換する必要がなくなるため、生産性を向上させることができる。
【００１４】
請求項４に記載のカートリッジメモリ読取・書込装置は、請求項３に記載のカートリッジメモリ読取・書込装置において、前記制御部は、カートリッジメモリにデータ信号を書き込む際に、前記複数種類の読取・書込部で前記カートリッジメモリのデフォルトデータの読み取りを試み、前記デフォルトデータを読み取ることができた読取・書込部を選択することを特徴とする。
【００１５】
請求項４に記載のカートリッジメモリ読取・書込装置によれば、カートリッジメモリにデータ情報を書き込む際は、まず、各データ信号読取・書込部で、カートリッジメモリに書き込まれているデフォルトデータ（初期データ）であるシリアルナンバーや製造者情報の読み取りを試みる。そして、カートリッジメモリに書き込まれているデフォルトデータを読み取ることができたデータ信号読取・書込部を選択し、そのデータ信号読取・書込部でカートリッジメモリに製造情報等を書き込むようにする。このようにすると、複数種類の読取・書込部の中から、生産ライン上を流れるカートリッジメモリの種類に対応する読取・書込部を容易に選択することができる。
【００１６】
請求項５に記載のカートリッジメモリ読取・書込装置は、請求項１又は請求項３に記載のカートリッジメモリ読取・書込装置において、前記制御部は、外部から入力された命令に基づいて、前記読取・書込部を選択することを特徴とする。
【００１７】
請求項５に記載の発明によれば、制御部は、外部から入力された命令に基づいて、信号読取・書込部を選択するように構成されている。そのため、予めカートリッジメモリの種類が判明しているときは、それに対応した読取・書込部だけを選択することができるので、カートリッジメモリに書き込まれているデフォルトデータの読み取りを試みる必要がなくなる。その結果、生産性をさらに向上させることができる。
【００１８】
【発明の実施の形態】
以下、本発明に係るカートリッジメモリ読取・書込装置の一実施の形態について、適宜図面を参照して詳細に説明する。本実施の形態では、カートリッジメモリ読取・書込装置を、テープワインダに設置した場合について説明する。
【００１９】
まず、本発明に係るカートリッジメモリ読取・書込装置（以下、「ＣＭ読取・書込装置」という）が設置されたテープワインダの構成について、図１を参照して説明する。参照する図面において、図１は、ＣＭ読取・書込装置が設置されたテープワインダを示す正面図である。また、図２は、ＣＭ読取・書込装置を示す構成図である。
【００２０】
図１に示すテープワインダＷは、いわゆるパンケーキ状の磁気テープＴを、所定の長さに切断した後、磁気テープカートリッジＣ内に組み込まれているテープリールＣＲに巻き取るための装置である。また、このテープワインダＷは、磁気テープカートリッジＣに組み込まれているカートリッジメモリＣＭ（図２参照）に、製造者情報や管理情報等を書き込むための装置である。
【００２１】
図１に示すように、テープワインダＷは、主に、テープ供給装置１０と、テープ巻取装置２０と、ＣＭ読取・書込装置３０と、磁気テープＴの表面を研磨するブレード装置４０と、磁気テープＴの両面を清掃するクリーニング装置５０、５０と、走行中の磁気テープＴの張力を調節する張力調整装置６０と、ストックされている磁気テープカートリッジＣを巻取装置２０に供給する磁気テープカートリッジ供給部７０と、テープリールＣＲに磁気テープＴが巻回され、カートリッジメモリＣＭに製造者情報や管理情報等が書き込まれた磁気テープカートリッジＣを排出する磁気テープカートリッジ排出部８０とを備えて構成されている。また、磁気テープＴを巻取装置２０まで案内するための複数のテープガイド９０が適所に配置されている。また、図中の１００は、テープワインダＷの運転を操作する操作盤である。
【００２２】
テープ供給装置１０は、テープ巻取装置２０に磁気テープＴを供給するための装置であり、パンケーキ状の磁気テープＴが巻回されたリールＲ１とリールＲ２を有している。このテープ供給装置１０は、リールＲ１（又はＲ２）を、図示しないリール駆動装置によって所定の回転数で回転させ、巻取装置２０に向けて磁気テープＴを送り出す。なお、テープ供給装置１０は、２つリールＲ１，Ｒ２を有しているので、片方のリールＲ１の磁気テープＴがなくなったときには、リールＲ２に切り換えて、テープ巻取装置２０に磁気テープＴを連続的に供給するようになっている。
【００２３】
巻取装置２０は、テープ供給装置１０から供給された磁気テープＴを磁気テープカートリッジＣのテープリールＣＲに巻き取るための装置である。この巻取装置２０は、まず、テープ供給装置１０から供給された磁気テープＴを図示しないテープ切断手段によって所定の長さに切断する。そして、磁気テープカートリッジＣのテープリールＣＲを、図示しないテープリール駆動装置によって所定の回転数で回転させ、所定の長さに切断された磁気テープＴを巻き取る。
【００２４】
ＣＭ読取・書込装置３０は、磁気テープカートリッジＣに組み込まれているカートリッジメモリＣＭに製造情報や管理情報等を書き込むための装置であり、巻取装置２０と排出収容部８０の間に配置されている。ＣＭ読取・書込装置３０は、図２に示すように、３種類の読取・書込部３１ａ，３１ｂ，３１ｃと制御部３２を有している。読取・書込部３１ａ，３１ｂ，３１ｃは、それぞれ異なる種類のカートリッジメモリに対応して、カートリッジメモリＣＭのデータ信号の読み取りと書き込みをすることができる。また、制御部３２は、磁気テープカートリッジＣに組み込まれているカートリッジメモリＣＭに対応する読取・書込部３１ａ，３１ｂ，３１ｃを選択して、カートリッジメモリＣＭに製造者情報等を書き込むように制御している。
【００２５】
次に、以上のように構成されたテープワインダＷにおけるＣＭ読取・書込装置３０の動作について、図２を参照して説明する。
【００２６】
まず、ＣＭ読取・書込装置３０の制御部３２は、任意の読取・書込部３１、例えば読取・書込部３１ａにより磁気テープカートリッジＣに組み込まれたカートリッジメモリＣＭに書き込まれているデフォルトデータの読み出しを試みる。そして、カートリッジメモリＣＭからデフォルトデータを読み出せた場合は、読み出しを試みた読取・書込部３１ａは、そのカートリッジメモリＣＭに対応しているということがわかる。その場合は、制御部３２は、この読取・書込部３１ａにより、カートリッジメモリＣＭに製造者情報や管理情報等を書き込むように制御する。逆に、カートリッジメモリＣＭからデフォルトデータを読み出せなかった場合は、読み出しを試みた読取・書込部３１ａは、そのカートリッジメモリＣＭに対応していないということがわかる。なお、カートリッジメモリＣＭには、シリアル番号や製造者情報等のデフォルトデータが予め書き込まれている。
【００２７】
次に、読取・書込部３１ａでカートリッジメモリＣＭからデフォルトデータを読み出せなかった場合は、前回とは異なる読取・書込部３１ｂによって磁気テープカートリッジＣに組み込まれたカートリッジメモリＣＭに書き込まれているデフォルトデータの読み出しを試みる。そして、カートリッジメモリＣＭからデフォルトデータの読み出せた場合は、読み出しを試みた読取・書込部３１ｂは、そのカートリッジメモリＣＭに対応しているということがわかる。その場合は、制御部３２は、この読取・書込部３１ｂにより、カートリッジメモリＣＭに製造者情報や管理情報等を書き込むように制御する。逆に、カートリッジメモリＣＭからデフォルトデータを読み出せなかった場合は、読み出しを試みた読取・書込部３１ｂは、そのカートリッジメモリＣＭに対応していないということがわかる。
【００２８】
次に、読取・書込部３１ｂでカートリッジメモリＣＭからデフォルトデータを読み出せなかった場合は、残りの読取・書込部３１ｃによって磁気テープカートリッジＣに組み込まれたカートリッジメモリＣＭに書き込まれているデフォルトデータの読み出しを試みる。そして、カートリッジメモリＣＭからデフォルトデータの読み出せた場合は、読み出しを試みた読取・書込部３１ｃは、そのカートリッジメモリＣＭに対応しているということがわかる。その場合は、制御部３２は、この読取・書込部３１ｃにより、カートリッジメモリＣＭに製造者情報や管理情報等を書き込むように制御する。逆に、カートリッジメモリＣＭからデフォルトデータを読み出せなかった場合は、読み出しを試みた読取・書込部３１ｃは、そのカートリッジメモリＣＭに対応していないということがわかる。
【００２９】
以上のように、まず、各データ信号読取・書込部３１ａ〜３１ｃで、カートリッジメモリＣＭに書き込まれているデフォルトデータの読み取りを試み、カートリッジメモリＣＭからデフォルトデータを読み出せた読取・書込部３１でカートリッジメモリＣＭに製造情報や管理情報等を書き込むようにすることによって、一台のカートリッジメモリ読取・書込装置で複数種類のカートリッジメモリに対応することができる。したがって、一々カートリッジメモリの種類に対応したカートリッジメモリ読取・書込装置に交換する必要がなくなるため、生産性を向上させることができる。
【００３０】
以上、本発明の一実施の形態について説明したが、本発明はこのような実施形態にのみ限定されるものではなく、本発明の技術的思想に基づく限りにおいて、種々の変形が可能である。
【００３１】
例えば、本実施の形態では、制御部３２において、読取・書込部３１を選択するのに、まずデフォルトデータの読み取りを試みていずれを用いるかを制御していたが、本発明においては、外部から入力された命令に基づいて、読取・書込部を選択するように構成することもできる。これにより、予めカートリッジメモリの種類が判明しているときは、それに対応した読取・書込部だけを選択することができるので、カートリッジメモリに書き込まれているデフォルトデータの読み取りを試みる必要がなくなる。その結果、生産性をさらに向上させることができる。
【００３２】
また、本実施の形態では、テープワインダＷに設けられるＣＭ読取・書込装置３０としているが、本発明は、テープワインダＷに設けられなくてもよく、単独のＣＭ読取・書込装置として機能させることもできる。これにより、テープワインダにおいてカートリッジメモリにデータ信号を書き込む形態だけでなく、磁気テープカートリッジを組み立てる最終工程の後で管理情報等を書き込む形態にも利用できる。具体的には、テープワインダで磁気テープカートリッジに組み付けられる前のテープリールに磁気テープを巻き取り、その巻き取った磁気テープの製造情報や管理情報等をコンピュータに記録しておき、磁気テープカートリッジにテープリール及びカートリッジメモリ等の構成部品を組み付ける最終工程の後、コンピュータに記録しておいた製造情報や管理情報等を呼び出し、カートリッジメモリに書き込む。この場合、最終工程において、異なる種類のカートリッジメモリの組み付けをしていても、一台のＣＭ読取・書込装置によって、カートリッジメモリにデータ信号を書き込むことができる。
【００３３】
さらに、本実施の形態では、読取・書込部を３種類設けているが、本発明は、これに限定されず、２種類以上であれば何種類であっても構わない。読取・書込部の種類を増やすことで、より多くの種類のカートリッジメモリに対応することができる。
【００３４】
【発明の効果】
以上説明したように、本発明によれば、複数の種類のカートリッジメモリにデータ信号を書き込むことができるカートリッジメモリ読取・書込装置を提供することができる。
【図面の簡単な説明】
【図１】ＣＭ読取・書込装置が設置されたテープワインダを示す正面図である。
【図２】ＣＭ読取・書込装置を示す構成図である。
【符号の説明】
１０      テープ供給装置
２０      巻取装置
３０      ＣＭ読取・書込装置
３１（３１ａ，３１ｂ，３１ｃ）    読取・書込部
３２      制御部
Ｗ        テープワインダ
Ｃ        磁気テープカートリッジ
ＣＭ      カートリッジメモリ
ＣＲ      テープリール
【図１】
2004152354.tif 000003
【図２】
2004152354.tif 000004